(57)【要約】【課題】プローブ部を予熱するためのヒータを内蔵した電子体温計において、予熱の実行を伴う体温計測を随時に実行可能にするとともに、内蔵電池の消耗を低減する。【解決手段】先端キャップおよび先端キャップの内部に装着された温度検出素子を含むプローブ部と、先端キャップに連結した筺体部とを有する電子体温計は、先端キャップを内部から加熱するヒータを有する。電子体温計は、電源の投入によって起動されると、ヒータによる先端キャップの加熱を開始し、先端キャップが、第１の温度値と、第１の温度値よりも高い第２の温度値との間の温度範囲に収まるように、ヒータによる加熱を制御する。そして、電子体温計が起動されてから所定の期間が経過した後は、ヒータによる加熱を停止する。【選択図】  図２
2012132842.tif 000002
【特許請求の範囲】
【請求項１】
先端キャップおよび前記先端キャップの内部に装着された温度検出素子を含むプローブ部と、前記先端キャップに連結した筺体部とを有する電子体温計であって、
前記先端キャップを内部から加熱するヒータと、
電源の投入によって前記電子体温計が起動されると前記ヒータによる加熱を開始し、前記先端キャップが、第１の温度値と、前記第１の温度値よりも高い第２の温度値との間の温度範囲に収まるように、前記ヒータの駆動を制御する加熱制御手段と、
前記電子体温計が起動されてから所定の期間が経過した後は、前記ヒータの駆動を禁止する禁止手段と、を備えることを特徴とする電子体温計。
【請求項２】
前記加熱制御手段は、前記ヒータのＯＮ、ＯＦＦを繰り返すことで、前記先端キャップが前記温度範囲に収まるように加熱を制御することを特徴とする請求項１に記載の電子体温計。
【請求項３】
前記電子体温計の起動とともに計時を開始するタイマを更に備え、
前記禁止手段は、前記タイマが所定時間の経過を検出した後は、前記ヒータの駆動を禁止することを特徴とする請求項１または２に記載の電子体温計。
【請求項４】
前記禁止手段は、前記加熱制御手段による前記ヒータのＯＮ、ＯＦＦの繰り返しの回数が所定数を超えた後は、前記ヒータの駆動を禁止することを特徴とする請求項２に記載の電子体温計。
【請求項５】
前記加熱制御手段は、前記温度検出素子から取得される温度値を用いて前記ヒータの駆動を制御することを特徴とする請求項１乃至４のいずれか１項に記載の電子体温計。
【請求項６】
前記加熱制御手段は、バイメタル式の温度スイッチにより形成されることを特徴とする請求項１乃至４のいずれか１項に記載の電子体温計。
【請求項７】
電源部からの電源の投入を行うマグネットリードスイッチを更に備えることを特徴とする請求項１乃至６のいずれか１項に記載の電子体温計。
【請求項８】
前記加熱制御手段が加熱を開始した後、前記温度検出素子により得られた温度値が前記第１の温度値を超えた時点で、所定の表示を行う表示手段を更に備えることを特徴とする請求項１乃至７のいずれか１項に記載の電子体温計。
【請求項９】
前記ヒータによる加熱により、前記先端キャップの温度値が前記第１の温度値になるまでの時間を、前記温度検出素子により検出された前記先端キャップの現在の温度値から推定する推定手段と、
前記推定手段で推定された時間を表示する表示手段とを備えることを特徴とする請求項１乃至７のいずれか１項に記載の電子体温計。
【請求項１０】
前記ヒータは、さらに前記筺体部を加熱することを特徴とする請求項１乃至９のいずれか１項に記載の電子体温計。
【請求項１１】
先端キャップおよび前記先端キャップの内部に装着された温度検出素子を含むプローブ部と、前記先端キャップに連結された筺体部と、前記先端キャップを内部から加熱するヒータとを備える電子体温計の制御方法であって、
電源の投入によって前記電子体温計が起動されると前記ヒータによる加熱を開始し、前記先端キャップが、第１の温度値と、前記第１の温度値よりも高い第２の温度値との間の温度範囲に収まるように、前記ヒータの加熱を制御する加熱制御工程と、
前記電子体温計が起動されてから所定の期間が経過した後は、前記ヒータの駆動を禁止する禁止工程と、を有することを特徴とする電子体温計の制御方法。
【発明の詳細な説明】
【技術分野】
【０００１】
本発明は電子体温計およびその制御方法に関する。
【背景技術】
【０００２】
一般に、電子体温計では、プローブ部における金属キャップの内部に設けられたサーミスタの温度変化に伴う抵抗変化を測定することにより温度計測値を取得している。使用直前の電子体温計のプローブ部（金属キャップ）は、電子体温計がそれまで放置されていた場所の温度（たとえば室温）となる。したがって、寒い場所に放置された電子体温計を体温計測のためにわきの下に挟むとひやりとした感触があり、使用者は不快感を覚える場合がある。また、体温計測の開始時の金属キャップの温度と使用者の体温との差が大きいと、それだけ体温計測に時間を要することにもなる。
【０００３】
以上のような状況から、電子体温計のプローブ部をあらかじめ加熱しておくことが提案されている。特許文献１では、婦人用の電子体温計において、測定時間を短縮するためにプローブ部を予熱するための、電子体温計とは別体の予熱部を用いることが記載されている。特許文献１によれば、予熱部は、タイマ設定された時刻において、装着された電子体温計の予熱を自動的に開始し、プローブ部が一定の温度となるように制御する。
【先行技術文献】
【特許文献】
【０００４】
【特許文献１】特開平１０−２７４５６６号公報
【発明の概要】
【発明が解決しようとする課題】
【０００５】
しかしながら、特許文献１に記載された電子体温計では、予熱部と電子体温計の本体とが別々であるため、電子体温計が加熱され予熱部から取り出された後、実際に体温計測を開始するまでの間にプローブ部における放熱が発生する。そのため、予熱の効果が低減ししてしまう可能性がある。また、予熱部により予熱を開始するためにタイマを設定したりするなど、予熱を行うためのユーザ操作が生じる。また、タイマ設定により予熱が開始されるため、体温を測定するタイミングが装置により（タイマ設定状態により）規定されてしまう。
【０００６】
一方、電子体温計に予熱のためのヒータを内蔵させることが考えられるが、ヒータを駆動するための電力が内蔵電池により賄われることから、内蔵電池の電力消費が加速されてしまう。特に、プローブ部の加温を行っている状態の電子体温計が放置されてしまうと、無駄な電力が消費され、電池の寿命が短くなってしまう。
【０００７】
本発明は上記の課題に鑑みてなされたものであり、プローブ部を予熱するためのヒータを内蔵した電子体温計において、予熱の実行を伴う体温計測を随時に実行可能にするとともに、内蔵電池の消耗を低減することを目的とする。
【課題を解決するための手段】
【０００８】
上記の目的を達成するための本発明の一態様による電子体温計は以下の構成を備える。すなわち、
先端キャップおよび前記先端キャップの内部に装着された温度検出素子を含むプローブ部と、前記先端キャップに連結した筺体部とを有する電子体温計であって、
前記先端キャップを内部から加熱するヒータと、
電源の投入によって前記電子体温計が起動されると前記ヒータによる加熱を開始し、前記先端キャップが、第１の温度値と、前記第１の温度値よりも高い第２の温度値との間の温度範囲に収まるように、前記ヒータの駆動を制御する加熱制御手段と、
前記電子体温計が起動されてから所定の期間が経過した後は、前記ヒータの駆動を禁止する禁止手段と、を備える。
【発明の効果】
【０００９】
本発明によれば、プローブ部を予熱するためのヒータを内蔵した電子体温計において、予熱の実行を伴う体温計測が随時に実行可能になるとともに、内蔵電池の消耗が低減される。
【図面の簡単な説明】
【００１０】
【図１】実施形態にかかる電子体温計の外観構成を示す図である。
【図２】実施形態にかかる電子体温計の機能構成を示す内部ブロック図である。
【図３】実施形態にかかる電子体温計のプローブ部の内部構成例を示す図である。
【図４】実施形態にかかる電子体温計の動作を説明するフローチャートである。
【図５】実施形態によるヒータ制御を説明する図である。
【発明を実施するための形態】
【００１１】
以下、本発明の各実施形態について図面を参照しながら説明する。
【００１２】
［第１の実施形態］
１．電子体温計の外観構成
図１は、本発明の一実施形態にかかる電子体温計１００の外観構成を示す図であり、図１（ａ）は平面図を、図１（ｂ）は側面図をそれぞれ示している。１０１は耐衝撃性と耐薬品性を有する熱可塑性樹脂からなる筺体部で、図２により後述する演算制御部２２０等の電子回路、内蔵電池（電源部２５０）等が収納される。
【００１３】
１０２は、プローブ部（図２の２１５）を構成する先端キャップである。先端キャップ１０２は、熱伝導性の観点からステンレス製等の金属キャップであることが好ましい。先端キャップ１０２の内部には温度を計測するためのサーミスタ（詳細は後述）等が液密に収納される。先端キャップ１０２と筺体部１０１とは連結されており、電子体温計１００の図示のごとき外形を提供する。１０３は電源ＯＮ／ＯＦＦスイッチであり、１回押圧すると電源部２５０（図２）がＯＮとなり、再度押圧すると電源部２５０がＯＦＦとなる。なお、病院用の電子体温計などでは、液密性をもたせるために、電源ＯＮ／ＯＦＦスイッチ１０３のような手動操作によるＯＮ／ＯＦＦスイッチを設けないで、マグネットリードスイッチ２５１（図２）を設けている。マグネットリードスイッチ２５１は、不図示の収納ケースに設けられた永久磁石によってＯＦＦ状態（開状態）が維持され、永久磁石の作用がなくなるとＯＮ状態（閉状態）となる。このため、電子体温計１００が収納ケースから出されるとマグネットリードスイッチ２５１がＯＮされ、図２で後述するように電源部２５０から演算制御部２２０、温度計測部２１０、表示部１０４等に電源が供給される。そして、電子体温計１００が永久磁石を内蔵した収納ケースに収納されるまで電源の供給は維持され、電子体温計１００は電源ＯＮの状態を維持し、体温計測等の実行が可能となる。なお、電子体温計１００が電源ＯＮ／ＯＦＦスイッチ１０３とマグネットリードスイッチ２５１の両方を具備するようにしても良い。
【００１４】
１０４はたとえば液晶表示器等で構成された表示部であり、被検者の体温を表示する。１０５はブザー部であり、たとえば体温計測の終了等をユーザに通知する。なお、ブザーではなく、演算制御部２２０における処理に基づいて、音声を出力するスピーカとしてもよい。また、表示部１０４は液晶に限られるものではない。また、表示部１０４は耐衝撃性と耐薬品性を有し、透明の熱可塑性樹脂で形成された窓部材で覆われ、この窓部材は、筺体部１０１と２色成形され、液密性を有している。
【００１５】
２．電子体温計の機能構成
図２は本実施形態にかかる電子体温計１００の機能構成を示す内部ブロック図である。
【００１６】
電子体温計１００において、プローブ部２１５は、先端キャップ１０２、先端キャップ１０２の内部に設けられた温度検出素子としてのサーミスタ２１１、及び加熱のためのヒータ２１２を具備する（図３により後述）。温度計測部２１０は、サーミスタ２１１の抵抗値に応じた時間分のＯＮ信号を出力する。演算制御部２２０は、温度計測部２１０が出力するＯＮ信号の出力期間（ＯＮ時間）を計時することで、プローブ部２１５により検出された温度値を得る。演算制御部２２０は、こうして得られた温度値に基づいて被検者の体温を演算すると共に、電子体温計１００の全体の動作を制御する。たとえば、演算制御部２２０は、表示部１０４に演算された被検者の体温を表示したり、ブザー部１０５を鳴動して体温計測の終了等を通知したりする。電源部２５０は筺体部１０１に内蔵された電池を含み、その電力は、マグネットリードスイッチ２５１を介して演算制御部２２０等、電子体温計１００の各部に供給される。
【００１７】
温度計測部２１０は、互いに並列に接続されたサーミスタ２１１（測定用抵抗素子）及び基準抵抗素子（不図示）と、単一入力積分型Ａ／Ｄ変換回路とを備え、温度に対応した時間分のＯＮ信号を出力する。
【００１８】
演算制御部２２０は、温度計測部２１０より出力されるディジタル信号のＯＮ時間を計測するカウンタ２２２を備える。カウンタ２２２は、制御回路２２１内のクロック発生部（不図示）が生成したクロックをカウントし、得られたカウント値と当該クロックの周波数に基づいて上記ＯＮ時間を計測する。演算処理部２２３はこのＯＮ時間からサーミスタ２１１が検出した温度値を取得する。
【００１９】
また、演算制御部２２０内の演算処理部２２３は、ＲＯＭ２２４に格納されたプログラムを実行することで、カウンタ２２２により計測された時間に基づいて温度値を算出する。そして、演算制御部２２０は、算出された温度値を温度データとして時系列でＲＡＭ２２６に記憶し、温度データの時間変化に基づいて被検体の体温を予測演算する。また、タイマ２２５は、ヒータ２１２の加熱を制御するのに用いられる。
【００２０】
表示制御部２２７は、演算処理部２２３における演算結果を表示する表示部１０４を制御する。計測スイッチ２１３は、温度計測部２１０への電力供給を制御する。ヒータスイッチ２１４は、ヒータ２１２の駆動（ＯＮ／ＯＦＦ）を制御する。また、制御回路２２１は、演算処理部２２３からの指示に従って、カウンタ２２２、表示制御部２２７、演算処理部２２３、温度計測部２１０、計測スイッチ２１３やヒータスイッチ２１４を制御する。
【００２１】
本実施形態による電子体温計１００のプローブ部２１５の構成を図３の（ａ）を参照して説明する。図３の（ａ）に示すように、プローブ部２１５の先端キャップ１０２の内部にはサーミスタ２１１とヒータ２１２が設けられている。ヒータ２１２は、先端キャップ１０２を内側から加熱し、温度Ｔ１と、Ｔ１よりも低い温度Ｔ２の間に維持するように制御される。このように、先端キャップ１０２を加熱することにより、体温計測を高速化するとともに、冷たい先端キャップが被験者に触れることによる不快感の発生を防止する。なお、温度Ｔ１は、体温計測に支障をきたさない温度、すなわち、通常の体温よりも低い温度（たとえば３４度程度）とする。また、温度Ｔ２としては、被験者が先端キャップに触れた際にひやっとした感触をもたらさない温度、たとえば３０度〜３２度程度が好ましい。
【００２２】
３．電子体温計における処理の流れ
次に、電子体温計１００における体温計測時の処理について、特に、ヒータ２１２の制御について詳細に説明する。なお、体温計測については、平衡温予測式、実測式、予測／実測を併用するタイプ等、いかなる方式の電子体温計にも適用可能である。
【００２３】
図４は、本実施形態の電子体温計１００の動作を説明するフローチャートである。電子体温計１００が収納ケースから取り出されてマグネットリードスイッチ２５１がＯＮすると、演算制御部２２０に電力が供給され、図４に示す処理が開始される。なお、マグネットリードスイッチ２５１のかわりに、図１で説明したような電源ＯＮ／ＯＦＦスイッチ１０３を有する場合は、電源ＯＮ／ＯＦＦスイッチ１０３のＯＮにより演算制御部２２０への電力供給がなされ、図４に示す処理が開始される。いずれにしても、電源部２５０から電源が投入されることにより図４に示す処理が開始される。なお、図４に示す処理は、演算処理部２２３がＲＯＭ２２４に格納されているプログラムを実行することにより実現されるものである。
【００２４】
ステップＳ４０１において、演算処理部２２３は、制御回路２２１を介して計測スイッチ２１３をＯＮすることにより電源部２５０から温度計測部２１０に電力を供給させ、温度計測部２１０による温度計測を開始する。そして、ステップＳ４０２において、演算処理部２２３は、タイマ２２５を起動する。タイマ２２５は所定時間を計時した後にタイムアップを出力する。以下の、ステップＳ４０３〜Ｓ４０６では、温度検出素子であるサーミスタ２１１を用いて取得された温度値を用いることにより、ヒータ２１２の加熱制御を行なう。
【００２５】
ステップＳ４０３において、演算処理部２２３は、温度計測部２１０により計測された温度値ｔがＴ２以下であるか否かを判定する。サーミスタ２１１を用いて計測された温度値ｔがＴ２以下の場合、処理はステップＳ４０４へ進み、演算処理部２２３は、制御回路２２１を介してヒータスイッチ２１４をＯＮさせて、ヒータ２１２を駆動し、加熱を開始する。その後、処理はＳ４０７へ進む。
【００２６】
他方、ステップＳ４０３において、計測された温度値ｔがＴ２より高ければ、処理はステップＳ４０５へ進む。ステップＳ４０５において、演算処理部２２３は、計測された温度値ｔがＴ１以上となっているかを判定する。計測された温度値ｔがＴ１以上の場合、処理はステップＳ４０６へ進み、演算処理部２２３は、制御回路２２１を介してヒータスイッチ２１４をＯＦＦし、ヒータ２１２による加熱を停止する。そして、処理はステップＳ４０７へ進む。
【００２７】
ステップＳ４０７において、演算処理部２２３は、タイマ２２５がタイムアップしたか否かを確認する。タイマ２２５がタイムアップしていた場合、処理はステップＳ４０８へ進み、演算処理部２２３は、ヒータスイッチ２１４と計測スイッチ２１３をＯＦＦする。その後、演算処理部は、タイムアップが発生したこと（体温計が放置されたと判定されたこと）をユーザに通知するために、ブザー部１０５を鳴動し（ステップＳ４１６）、制御回路２２１および表示制御部２２７を介して表示部１０４に警告表示を行い（ステップＳ４１７）、本処理を終了する。こうして、電子体温計１００が起動されてから所定期間が経過するまでに（タイマ２２５がタイムアップするまでに）体温計測が開始されなかった場合には、電子体温計１００が放置されたものとして、電子体温計１００を休止状態として電源部２５０の無駄な消費を防止する。また、ユーザは、タイマ２２５のタイムアップにより電子体温計１００が休止状態となったことをブザー音や表示により知ることができるので、体温計測に休止状態となっている電子体温計１００を用いてしまうといったような事態を回避できる。ヒータ２１２の駆動の観点からいうと、電子体温計１００が起動されてから所定期間が経過した後は、ヒータ２１２の駆動が禁止されることになる。このような状態になった場合、ユーザは、電子体温計１００を収納ケースに出し入れしたり、電源ＯＮ／ＯＦＦスイッチ１０３により電源を再操作するなどして、図４の処理を最初から起動させることで、電子体温計１００を使用できるようになる。なお、所定期間としては、例えば、２０秒乃至３０秒程度とすることがあげられる。所定期間が短すぎれば、使用者が体温計測を行う意思があるにもかかわらずヒータ２１２による予熱を終えてしまうことになり、長すぎれば無駄に予熱を実行して内蔵されている電池を無駄に消耗させてしまう。
【００２８】
ステップＳ４０７においてタイマ２２５がタイムアップしていなければ処理はステップＳ４０９へ進む。ステップＳ４０９において、演算制御部２２３は、ヒータ２１２が駆動中か否か、すなわちヒータスイッチ２１４がＯＮであるか否かを判定する。ヒータが駆動中の場合は、処置はステップＳ４０３に戻り、上記の処理が繰り返される。他方、ヒータ２１２が駆動中でないと判定された場合は、処理はステップＳ４１０に進む。ステップＳ４１０において、演算処理部２２３は、温度計測部２１０が計測した温度値から体温測定が開始されたか否かを判定する。演算処理部２２３は、たとえば、計測された温度値がＴ１を超えて上昇した場合に体温測定が開始されたと判定する。すなわち、演算処理部２２３は、ヒータがＯＦＦの状態で温度値がＴ１を超えた場合に体温測定が開始されたと判定する。体温測定が開始されていないと判定された場合には、処理はステップＳ４０３に戻り、上述した処理が繰り返される。体温測定が開始されたと判定された場合は、処理はステップＳ４１１に進む。したがって、体温測定が開始されたと判定された時点では、ヒータ２１２はＯＦＦとなっていることが保障される。
【００２９】
以上のステップＳ４０３〜Ｓ４１０の加熱制御による、先端キャップ１０２の温度（サーミスタ２１１が検出する温度値）の変化を図５に示す。マグネットリードスイッチ２５１がＯＮした時点（電源ＯＮ／ＯＦＦスイッチ１０３がＯＮされた時点）を時刻０とする。時刻０において先端キャップ１０２の温度はＴ２以下となっているため、ヒータ２１２がただちにＯＮとなり、ヒータ２１２による加熱が開始される（Ｓ４０３、Ｓ４０４）。その後、ヒータ２１２の加熱により先端キャップ１０２が温められ、その温度がＴ１に達すると、ヒータ２１２はＯＦＦとなる（Ｓ４０５，Ｓ４０６）。ヒータ２１２がＯＦＦになると、先端キャップ１０２は放熱により冷めていき、その温度がＴ２以下になるとヒータ２１２は再びＯＮにされ、先端キャップ１０２の加熱が開始される（Ｓ４０３、Ｓ４０４）。以降、Ｓ４０３〜Ｓ４０６の処理によってヒータ２１２のＯＮ，ＯＦＦが制御されることで、先端キャップ１０２の温度がＴ２とＴ１の間に維持される。
【００３０】
一方、電子体温計１００の起動とともに起動されたタイマ２２５は、起動からｔupでタイムアップし、当該タイムアップまでに体温計測が開始されていなければ、計測スイッチ２１３やヒータスイッチ２１４をＯＦＦして、電子体温計１００を休止状態とする。なお、ｔupは、たとえば３０秒程度が好ましい。タイマ２２５がタイムアップする前に、一点鎖線で示した曲線５０１に示すように温度値が変化すると、すなわち、ヒータ２１２がオフの状態でＴ１を超えて温度値が上昇すると、体温測定が開始されたと判定され、処理は図４のステップＳ４１１以降へ進むことになる。なお、電子体温計１００の起動とともにタイマ２２５を起動するが、ヒータ２１２の最初の駆動とともにタイマ２２５を起動するようにしてもよい。ヒータ２１２の最初の駆動が電子体温計１００の起動後ただちにおこなわれるので、これらのタイマ２２５の起動タイミングは等価である。
【００３１】
図４に戻り、ステップＳ４１１において、演算処理部２２３は、体温計測処理を実行する。体温計測は、平衡温予測式、実測式など、周知の処理により行われる。体温計測が完了して、体温測定値が確定すると、処理はステップＳ４１２からステップＳ４１３に進む。ステップＳ４１３で演算処理部２２３は計測スイッチ２１３をＯＦＦにして、電子体温計１００による温度計測を終了する。なお、予測による体温測定が確定してから所定時間後に実測値表示に切り替える方式もあるが、本実施形態では、ステップＳ４１３で温度計測を終了させることにより、電池の消耗の低減を図っている。その後、ステップＳ４１４において、演算処理部２２３は、ブザー部１０５を鳴動して、体温計測の完了をユーザに通知する。そして、ステップＳ４１５において、演算処理部２２３は、制御回路２２１、表示制御部２２７を介して、表示部１０４に体温計測の結果（温度値）を表示させる。電子体温計１００を収納ケースに収納すると、マグネットリードスイッチ２５１がオフとなり、電子体温計１００の電源供給がオフとなる。
【００３２】
なお、上記実施形態では、タイマ２２５による所定時間の経過により電子体温計１００の放置を検出したが、これに限られるものではない。たとえば、ヒータ２１２をＴ２〜Ｔ１の温度範囲に維持するために行われたヒータ２１２のＯＮ／ＯＦＦの回数に基づいて所定期間の経過を判定するようにしてもよい。たとえば、Ｔ２〜Ｔ１の温度範囲に維持するためにヒータ２１２をＯＮ或いはＯＦＦした回数をカウントし、このカウント値が所定数を超えたか否かにより所定期間の経過を判定することで、電子体温計１００の放置を検出するようにしてもよい。
【００３３】
また、上記実施形態では、ヒータスイッチ２１４のＯＮ／ＯＦＦをサーミスタ２１１を用いて計測した温度値に基づいて制御することにより先端キャップ１０２の温度をＴ２〜Ｔ１に維持したが、これに限られるものではない。たとえば、図３の（ｂ）に示されるように、ヒータスイッチ２１４と直列に、たとえばバイメタル式の温度スイッチ３０１を接続し、この温度スイッチ３０１により先端キャップ１０２の温度をＴ２〜Ｔ１に維持するようにしてもよい。この場合、電子体温計１００が起動してからタイマ２２５がタイムアップするまでヒータスイッチ２１４はＯＮとなり、Ｓ４０３〜Ｓ４０６によるヒータ２１２のＯＮ，ＯＦＦは温度スイッチ３０１が独立して行うことになる。したがって、演算処理部２２３による処理は、図４に示した処理を以下のように変形したものとなる。
・Ｓ４０１で計測スイッチ２１３とヒータスイッチ２１４をともにＯＮする。
・Ｓ４１５で計測スイッチ２１３とヒータスイッチ２１４をともにＯＦＦする。
・Ｓ４０３〜Ｓ４０６の処理を省略する。
このような構成によれば、ヒータスイッチ２１４に関する演算制御部２２０の処理が軽減される分、電力の消費が抑えられる。
【００３４】
また、図５の時刻０において開始された加熱により温度計測値がＴ２に達したことをユーザに通知するようにしてもよい。このような通知により、ユーザは電子体温計１００の先端キャップ１０２が適切に加熱された状態であることを認識でき、便利である。なお、通知の方法には、以下に例示する形態を含め、種々の形態が考えられる。たとえば、計測された温度値がＴ２以上となった時点で、表示部１０４にその旨を示す表示（たとえばＯＫマーク）を行うようにすることができる。あるいは別途設けたＬＥＤを点灯させるようにしてもよい。また、計測された温度値がＴ２に満たない間、予熱中である旨を示す表示を行うようにしてもよい。たとえば赤と緑の２色ＬＥＤを設けた場合、温度値がＴ２に満たない間は赤、Ｔ２に達すると緑を表示して、予熱中、予熱の完了を示すようにしてもよい。或いは、表示部１０４に、予熱が完了するまでの残り期間をカウントダウンにより示すようにしてもよい。カウントダウンの表示は、計測された現在の温度値から予熱の完了までに要する時間（［温度Ｔ２］−［現在の温度値ｔ］の温度差を加熱するのに要する時間）を推定し、表示するようにしてもよい。
【００３５】
以上説明したように、本実施形態の電子体温計１００によれば、収納ケースから取り出すことで（或いは、電源ＯＮ／ＯＦＦスイッチ１０３の操作により）電子体温計１００が起動されると、ただちにヒータ２１２による先端キャップ１０２の加熱が開始される。このため、サーミスタ２１１が常に一定範囲の温度を維持できるため、サーミスタ２１１の温度が体温まで上昇するための熱伝導の時間を大幅に短縮することができる。そのため、測定時間（予測式であっても、実測式であっても）を短縮することができる。また、先端キャップ１０２やサーミスタ２１１の予熱に関して格別な操作をする必要がなく（予熱を行うために別体の器具を用いる必要がない）、予熱を経た体温計測を随時に行うことができ、便利である。更に、先端キャップ１０２が予熱されるため、ユーザは電子体温計１００の装着時における不快感（ひやりとした感触）を感じることなく体温計測を行うことができる。なお、ヒータ２１２は主として先端キャップ１０２を予熱するものであるが、その加熱範囲が筺体部１０１に及んでも構わない。また、筺体部１０１と先端キャップ１０２が一体に形成されたものでもよい。
【符号の説明】
【００３６】
１００：電子体温計、  １０１：筺体部、  １０２：先端キャップ、  １０３：電源ＯＮ／ＯＦＦスイッチ、  １０４：表示部、  ２１０：温度計測部、  ２１１：サーミスタ、  ２１２：ヒータ、  ２１３：計測スイッチ、  ２１４：ヒータスイッチ、  ２１５：プローブ部、  ２２０：演算制御部、  ２５０：電源部、  ２５１：マグネットリードスイッチ
【図１】
2012132842.tif 000003
【図２】
2012132842.tif 000004
【図３】
2012132842.tif 000005
【図４】
2012132842.tif 000006
【図５】
2012132842.tif 000007